(57)【特許請求の範囲】
【請求項１】
前面開口した直方体状であって内部に光源を点灯させるための点灯装置を収納する器具本体と、器具本体の左右幅に略等しい左右幅を有し器具本体の上下幅よりも小さな上下幅を有する矩形状の表示ユニットと、前記光源たるランプを有し表示ユニットの上縁に沿って配設されたランプユニットとを備え、器具本体の前面開口が表示ユニット並びにランプユニットで覆われるとともに、表示ユニット並びにランプユニットを合わせた外周形状が器具本体において前面開口を囲む部位の外周形状に沿った誘導灯において、
表示ユニットは、ランプユニットから照射される光が上端面より入射する平板状の導光板と、透光性材料からなり導光板の前面側に配置されるとともに上端面を除く導光板の端面に沿った側片を有する表示パネルと、導光板の背面側に配置されて表示パネルとの間で導光板を狭持するパネルケースとを具備し、表示パネルの側片が、導光板の上下方向並びに左右方向においてパネルケースより外側に配置されたことを特徴とする誘導灯。
【請求項２】
表示パネルの側片は、パネルケースを介さずに導光板の端面とそれぞれ対向することを特徴とする請求項１記載の誘導灯。
【請求項３】
表示パネルは、側片の後端面に設けられる固定手段によってパネルケースと固定されることを特徴とする請求項１記載の誘導灯。
【請求項４】
表示ユニットは、パネルケースに設けられた取付手段によって器具本体に取り付けられ、器具本体に設けられた被嵌合部と凹凸嵌合する嵌合部が表示パネルに設けられたことを特徴とする請求項１記載の誘導灯。
【発明の詳細な説明】
【技術分野】
【０００１】
本発明は、誘導灯に関するものである。
【背景技術】
【０００２】
従来、光源からの光を、導光板を介して避難口へ誘導するためのシンボルが表記された表示パネルから出射するようにした、いわゆる「導光板式」あるいは「パネル式」と称される誘導灯が提供されている。
【０００３】
図５は従来の導光板式の誘導灯を示している。この誘導灯は、前面開口した直方体状の器具本体１０の左右幅に略等しい左右幅を有し器具本体１０の上下幅よりも小さな上下幅を有する正方形状の表示ユニット２０と表示ユニット２０の表示パネル２１の上縁に沿って配設されたランプユニット３０とで器具本体１０の前面開口を覆い、且つ、表示ユニット２０とランプユニット３０とを合わせた外周形状が器具本体１０において前面開口を囲む部位の外周形状に沿うように構成されている（例えば、特許文献１参照）。表示ユニット２０は、表示パネル２１と、表示パネル２１の背面側に配設され光源（冷陰極蛍光灯）の光を表示パネル２１へ導光する導光板２２と、表示パネル２１及び導光板２２を支持するパネルケース２３とを備えている。ランプユニット３０は、導光板２１の上端縁に対向する位置に冷陰極蛍光灯を保持している。
【０００４】
表示パネル２１は、透光性を有するアクリル樹脂製であって避難口へ誘導するためのシンボルが表記されている。また導光板２２は、透明アクリル樹脂製であって表示パネル２１の背面側に配設されて冷陰極蛍光灯の光を表示パネル２１へ導光する。なお、導光板２２の背面には反射シート（図示せず）が配設される。パネルケース２３は合成樹脂成形品からなり、器具本体１０の左右幅に略等しい左右幅を有し器具本体１０の上下幅よりも小さな上下幅を有する正方形状の取付ベース２３ａと、取付ベース２３の前面の周部において上辺を除いた３辺に沿って前方へ連続一体に突設された保持枠２３ｂ’とを備えている。また、パネルケース２３の背面において左右両端部にはそれぞれＬ字状の係合片２４が２つずつ上下方向に沿って突設されている。
【０００５】
保持枠２３ｂ’のうち左右両端部に設けられた部位の内面には、図５（ｂ）に示すように、表示パネル２１をスライド自在に保持するためのガイド溝２３ｃ’が形成されている。一方、表示パネル２１は、左右両端縁それぞれから後方に向かって側片２１ｂ、２１ｃが突設されており、各側片２１ｂ、２１ｃの外面には、ガイド溝２３ｃ’にスライド自在に導入されるガイドリブ２１ｄ’が突設されている。したがって、表示パネル２１は、パネルケース２３の保持枠２３ｂ’の上方からガイドリブ２１ｄ’をガイド溝２３ｃ’に導入して下方にスライドさせることにより、パネルケース２３に保持される（図５（ｃ）参照）。
【０００６】
器具本体１０に表示ユニット２０を取り付けるには、器具本体１０の両側壁の各前端縁にパネルケース２３の背面が当接するように器具本体１０と表示ユニット２０との左右方向の位置を合わせ、且つ、器具本体１０の両側壁の内面に突設された各係止片１８に対応する各係合片２４が上方向にずれるように表示ユニット２０の下面を器具本体１０の下面よりも上方向にずらしている状態から、器具本体１０の両側壁の各前端縁にパネルケース２３の背面を当接させながら表示ユニット２０を下方に摺動させると、各係合片２４の各下端縁が各係止片１８それぞれの規制片１８ａの上面に当接し且つ各係合片２４の前面が各係止片１８それぞれの保持片１８ｂの背面に当接して、表示ユニット２０が器具本体１０に仮保持され、器具本体１０に対する表示ユニット２０の左右方向、下方向、および前後方向への移動が規制されるようになる。このように器具本体１０に表示ユニット２０が仮保持された状態では、器具本体１０の上面を含む平面と表示パネル２１の上端縁との間にランプユニット３０の上下幅よりもやや小さな隙間が形成される。ランプユニット３０は、表示ユニット２０が器具本体１０に取り付けられた状態において、この隙間をなくし表示ユニット２０と合わせて器具本体１０の前面開口を覆う形で器具本体１０の前面に着脱自在に取り付けられる。表示ユニット２０を器具本体１０から取り外すには、ランプユニット３０が器具本体１０から取り外された状態で、表示ユニット２０を係止片１８と保持片１８ｂとが重ならない位置までスライドさせて前方へ取り外せばよい。なお、保持枠２３ｂ’の幅は、ランプユニット３０の幅（上下幅）よりも小さくなっている。
【０００７】
図６は器具本体４０が天井に埋込配設される埋込型の誘導灯であって、上面が開口した扁平な直方体状に形成された表示パネル４１と、上面開口から表示パネル４１内に挿入して保持される導光板４２と、表示パネル４１及び導光板４２の上部に貫通する貫通孔４１ａ，４２ａに挿通した取付ピン４３によって表示パネル４１と導光板４２に取り付けられる取付枠４４とで表示ユニットが構成されている。取付枠４４の上面には、冷陰極蛍光灯４６と反射板４７とランプホルダ４８からなるランプユニットが取り付けられる。器具本体４０は、下面が開口する箱状に形成され内部に冷陰極蛍光灯４６の点灯装置等が収納される。そして、下面開口を閉塞する形で一対の取付ばね４９により取付枠４４が器具本体４０に取り付けられる。
【特許文献１】特開２００２−２３６５７号公報
【発明の開示】
【発明が解決しようとする課題】
【０００８】
ところで図５に示した前者の従来例では、パネルケース２３に設けられた保持枠２３ｂ’によって表示パネル２１の前面周縁部分が覆われるとともに、表示パネル２１の側面が不透過性のパネルケース２３で覆われるため、前方からの見栄え（デザイン性）がよくなく、また側方からの視認性がよくないという問題があった。なお、パネルケース２３を透光性材料で形成した場合でも、表示ユニット２０の側面側では透光性を有する部材（導光板２２とパネルケース２３）が重なるために見栄えがよくなく、さらに器具本体１０とパネルケース２３の材料が異なるため、両者の熱膨張率の違い等により互いに係合する係合片２４若しくは係止片１８が破損する可能性があった。なお、図６に示した後者の従来例では、前者の従来例とは異なり表示パネル４１の前後左右に不透過部分が存在しないが、表示パネル４１が合成樹脂成形品を貼り合わせて構成されているために加工性並びに信頼性に若干の問題があり、見栄えもよくなかった。
【０００９】
本発明は上記事情に鑑みて為されたものであり、その目的は、外観上の見栄えと視認性を向上した誘導灯を提供することにある。
【課題を解決するための手段】
【００１０】
請求項１の発明は、上記目的を達成するために、前面開口した直方体状であって内部に光源を点灯させるための点灯装置を収納する器具本体と、器具本体の左右幅に略等しい左右幅を有し器具本体の上下幅よりも小さな上下幅を有する矩形状の表示ユニットと、前記光源たるランプを有し表示ユニットの上縁に沿って配設されたランプユニットとを備え、器具本体の前面開口が表示ユニット並びにランプユニットで覆われるとともに、表示ユニット並びにランプユニットを合わせた外周形状が器具本体において前面開口を囲む部位の外周形状に沿った誘導灯において、表示ユニットは、ランプユニットから照射される光が上端面より入射する平板状の導光板と、透光性材料からなり導光板の前面側に配置されるとともに上端面を除く導光板の端面に沿った側片を有する表示パネルと、導光板の背面側に配置されて表示パネルとの間で導光板を狭持するパネルケースとを具備し、表示パネルの側片が、導光板の上下方向並びに左右方向においてパネルケースより外側に配置されたことを特徴とする。
【００１１】
請求項２の発明は、請求項１の発明において、表示パネルの側片は、パネルケースを介さずに導光板の端面とそれぞれ対向することを特徴とする。
【００１２】
請求項３の発明は、請求項１の発明において、表示パネルは、側片の後端面に設けられる固定手段によってパネルケースと固定されることを特徴とする。
【００１３】
請求項４の発明は、請求項１の発明において、表示ユニットは、パネルケースに設けられた取付手段によって器具本体に取り付けられ、器具本体に設けられた被嵌合部と凹凸嵌合する嵌合部が表示パネルに設けられたことを特徴とする。
【発明の効果】
【００１４】
請求項１の発明によれば、表示パネルの前面周縁並びに側端面がパネルケースで覆われることがないから、前方及び側方から見た外観上の見栄え及び視認性が向上する。
【００１５】
請求項２の発明によれば、表示パネルの側片と導光板との間にパネルケースが介在しないから、導光板と表示パネルの側片との間に隙間が無くなり、前方から見たときに表示パネルの端部に輝度の境界のラインが生じず、前方から見た外観上の見栄え及び視認性がさらに向上する。
【００１６】
請求項３の発明によれば、表示パネルの側片と導光板の側端面との距離を近づけることができるから、前方から見たときに側片と導光板との隙間によるラインが目立たなくなり、外観上の見栄え及び視認性がさらに向上する。
【００１７】
請求項４の発明によれば、仮に取付手段の不具合でパネルケースが器具本体から外れても、嵌合部と被嵌合部との凹凸嵌合によって表示パネルが器具本体に固定されているから、表示ユニットが器具本体から脱落することがない。
【発明を実施するための最良の形態】
【００１８】
以下、図面を参照して本発明を実施形態により詳細に説明する。但し、各実施形態の基本構成は図５に示した従来例と共通するので、多少の形状の相違があっても機能的に共通する構成要素については同一の符号を付して適宜説明を省略する。
【００１９】
（実施形態１）
本実施形態の誘導灯は、図１（ａ）に示すように前面開口した直方体状の器具本体１０と、矩形状（本実施形態では、正方形状）の表示パネル２１を有し器具本体１０の前面開口の大部分を覆う表示ユニット２０と、光源たる直管形の冷陰極蛍光灯（図示せず）を有し器具本体１０の前面開口のうち表示ユニット２０により覆われていない残りの部分を覆うように表示ユニット２０の上縁に沿って配設されたランプユニット３０とを備えている。
【００２０】
器具本体１０は不透光性を有する合成樹脂成形品からなり、冷陰極蛍光灯を点灯させる点灯装置４と、商用電源の停電時に点灯装置４へ給電するための非常用電源たる蓄電池を有する非常用電源ブロック６とが収納されている。点灯装置４は、器具本体１０内に設けられた端子台７を介して商用電源並びに非常用電源ブロック６に接続されており、通常は商用電源により給電されて冷陰極蛍光灯を点灯させ、商用電源の停電時には蓄電池により給電されて冷陰極蛍光灯を点灯させる。但し、かかる点灯装置は従来周知であるから詳細な構成についての図示並びに説明を省略する。
【００２１】
また、器具本体１０の後壁並びに上壁には、商用電源を端子台７に接続するための電源線（図示せず）を挿通する挿通孔を形成するためのノックアウト部１１，１１がそれぞれ設けられている。なお、器具本体１０の後壁には、補強用の金具８が取り付けられており、この金具に点灯装置４、非常用電源ブロック６、端子台７が固定されている。
【００２２】
さらに、器具本体１０内の下部には、点灯装置４並びに非常用電源ブロック６を点検するための点検装置５が配置されている。この点検装置５は、器具本体１０の下壁に設けられた丸孔１５を通して点検スイッチ（図示せず）が操作されたときに商用電源から点灯装置４への給電を強制的に遮断し、非常用電源ブロック６から点灯装置４へ給電して冷陰極蛍光灯が点灯するか否か等の検査を行うものであり、検査結果は図示しない表示灯によって表示する。なお、このような点検装置５は従来周知であるから、詳細な構成についての図示並びに説明は省略する。
【００２３】
また、器具本体１０両側壁の前部の各内面には、器具本体１０の下壁に略平行であって表示ユニット２０のパネルケース２３の背面から突設されたＬ字状の係合片２４（後述する）の下端縁が上面に当接し表示ユニット２０の下方向への移動を規制する規制片１８ａと、器具本体１０の前端縁に略平行であって規制片１８ａの前端縁から連続一体に形成され上記係合片２４の先端部が背面側に重なる保持片１８ｂとからなるＬ字状の係止片１８と、後述する嵌合部２１ｅ，２１ｅと凹凸嵌合する被嵌合部１９とが２つずつ突設される。被嵌合部１９は、嵌合部２１ｅの長手寸法よりも上下方向の寸法が僅かに大きい平面視矩形の挿入凹所１９ａと、嵌合部２１ｅの短手寸法よりも前後方向の寸法が僅かに大きい平面視長方形状であって挿入凹所１９ａの後端縁より下方に延長された被嵌合凹所１９ｂとを有する。
【００２４】
一方、表示ユニット２０は、図１（ｂ）に示すように避難口へ誘導するためのシンボルが表記された表示パネル２１と、表示パネル２１の背面側に配設され冷陰極蛍光灯の光を表示パネル２１へ導光する透明アクリル樹脂製の導光板２２と、表示パネル２１との間で導光板２２を狭持するパネルケース２３とで構成されている。
【００２５】
表示パネル２１は、透光性を有する合成樹脂（例えば、アクリル樹脂など）の成形品であって、矩形状（本実施形態では、正方形状）の表示部２１ａと、表示部２１ａの背面における左右両端及び下端縁より後方へ突設された側片（左側側片２１ｂ、右側側片２１ｃ、下側側片２１ｄ）とを具備している。ここで、側片（左側側片２１ｂ、右側側片２１ｃ、下側側片２１ｄ）には器具本体１０の両側壁並びに下壁の先端部と嵌合する段部が表面側に形成されている。また、左側及び右側の各側片２１ｂ，２１ｃは、上下方向において下側ほど後方への突出量が小さくなるように傾斜している。さらに左側及び右側の各側片２１ｂ，２１ｃにおいては、略Ｃ字形状の取付溝２１ｆ，２１ｆが後端面に設けられるとともに、側方に突出する扁平な直方体状の嵌合部２１ｅ，２１ｅが設けられている。なお、導光板２２は透光性を有する合成樹脂材料により、上下方向において下側ほど厚さが薄くなる扁平な板状に形成されている。
【００２６】
パネルケース２３は、不透光性樹脂（例えば、ＡＢＳ樹脂）の成形品からなり、器具本体１０の左右幅に略等しい左右幅を有し器具本体１０の上下幅よりも小さな上下幅を有する正方形状の取付ベース２３ａと、取付ベース２３ａの左右両側及び下側の端縁より後方へ突出する側壁部２３ｂと、左右両側の側壁部２３ｂより各々左右方向へ突出する各一対の取付部２３ｃ，２３ｃと、取付ベース２３ａの背面における左右両端縁より後方へ突出する平面視略Ｌ字形状の係合片２４とを具備する。取付部２３ｃは、取付溝２１ｆの内径よりも僅かに小さく且つ取付溝２１ｆの開口よりも大きい外径を有した円柱状の部分と、該円柱状の部分の先端に一体に設けられて取付溝２１ｆの内径よりも大きい外径を有する円盤状の部分とで構成されている。すなわち、表示パネル２１の左右両側の側片２１ｂ，２１ｃに設けられている各一対の取付溝２１ｆ，２１ｆに取付部２３ｃの円柱状の部分を圧入すれば、表示パネル２１がパネルケース２３と固定されるとともに表示パネル２１とパネルケース２３との間に導光板２２が狭持される。
【００２７】
器具本体１０に表示ユニット２０を取り付けるには、器具本体１０の両側壁の各前端縁に表示パネル２１の左右両側の側片２１ｂ，２１ｃに設けられた段部の背面が当接するように器具本体１０と表示ユニット２０との左右方向の位置を合わせ、且つ、器具本体１０の両側壁の内面に突設された各係止片１８に対応する各係合片２４が上方向にずれ且つ器具本体１０の両側壁の内面に設けられた各被嵌合部１９の挿入凹所１９ａに各嵌合部２１ｅが挿入可能なように表示ユニット２０の下面を器具本体１０の下面よりも上方向にずらしている状態から、器具本体１０の両側壁の各前端縁にパネルケース２３の背面を当接させながら表示ユニット２０を下方に摺動させると、各係合片２４の各下端縁が各係止片１８それぞれの規制片１８ａの上面に当接し且つ各係合片２４の前面が各係止片１８それぞれの保持片１８ｂの背面に当接するとともに嵌合部２１ｅが挿入凹所１９ａから嵌合凹所１９ｂに移動して、表示ユニット２０が器具本体１０に仮保持され、器具本体１０に対する表示ユニット２０の左右方向、下方向、および前後方向への移動が規制されるようになる（図１（ｃ）参照）。このように器具本体１０に表示ユニット２０が仮保持された状態では、器具本体１０の上面を含む平面と表示パネル２１の上端縁との間にランプユニット３０の上下幅よりもやや小さな隙間が形成される。ランプユニット３０は、表示ユニット２０が器具本体１０に取り付けられた状態において、この隙間をなくし表示ユニット２０と合わせて器具本体１０の前面開口を覆う形で器具本体１０の前面に着脱自在に取り付けられる。表示ユニット２０を器具本体１０から取り外すには、ランプユニット３０が器具本体１０から取り外された状態で、表示ユニット２０を係止片１８と保持片１８ｂとが重ならない位置までスライドさせて前方へ取り外せばよい。
【００２８】
ランプユニット３０は、直管形の冷陰極蛍光灯（図示せず）と、冷陰極蛍光灯を内側に納める形で保持するランプホルダ３１と、冷陰極蛍光灯から放射される光を下方へ反射する反射板（図示せず）と、冷陰極蛍光灯の両端の電極にそれぞれ接続された端子片（図示せず）とを具備する。ここで、ランプユニット３０は、器具本体１０に取り付けた状態で導光板２４の上端縁に対向する位置に配置される位置に冷陰極蛍光灯を保持している。ランプホルダ３１は、合成樹脂製であって、器具本体１０およびパネルケース２３と同じ材料で形成され且つ同じ色としてある。
【００２９】
ランプホルダ３１の背面上部における左右には、断面Ｌ字状であって器具本体１０の上部における左右の角部の内面に沿うように配列されたガイド片３３，３３が後方に向かって突設されている。また、各ガイド片３３，３３の下方には、各端子片それぞれの外側で左右方向において各端子片に重なり且つランプホルダ３１の背面からの突出寸法がガイド片３３，３３の半分程度の結合片３４，３４が突設されている。
【００３０】
一方、器具本体１０において両側壁の上部の内側には、点灯装置４にそれぞれ電線（図示せず）を介して接続され上記端子片が前方から嵌入され端子片が電気的に接続されるとともに機械的に接続されるソケット９，９が配設されている。なお、各ソケット９，９と器具本体１０の各側壁との間にはそれぞれ結合片３４，３４が前方から挿入される隙間９ａ，９ａが形成されている。
【００３１】
而して、表示ユニット２０においては、図１（ｃ）に示すように表示パネル２１の側片（左側側片２１ｂ、右側側片２１ｃ、下側側片２１ｄ）が導光板２２の上下方向並びに左右方向においてパネルケース２３より外側に配置されているので、図５に示した従来例のようにパネルケース２３の保持枠２３ｂ’で表示パネル２１の前面周縁部分並びに側面が覆われることがないから、前方及び側方の外観上の見栄え並びに視認性が向上できるものである。また、表示パネル２１をパネルケース２３に取り付けるための固定手段（取付溝２１ｆ）が左右両側の側片２１ｂ，２１ｃの後端面に設けられているから、側片２１ｂ，２１ｃ，２１ｄがパネルケース２３を介さずに導光板２２の端面とそれぞれ対向し、且つ導光板２２の端面との距離が短く（隙間が０．５ｍｍ以下）なっているので、前方から見たときに側片２１ｂ，２１ｃ，２１ｄと導光板２２との境界に輝度差によるラインが見えることがなく、また均一な光を表示パネル２１の前方及び側方に照射することができる。なお、前方から見たときに側片２１ｂ，２１ｃ，２１ｄの肉厚分が暗く見えてしまうが、当該部分にテーパ２１ｇを設けることで暗い部分を細く見せることができる。
【００３２】
ところで、本実施形態では表示パネル２１の左側側片２１ｂ並びに右側側片２１ｃに設けた嵌合部２１ｅと、器具本体１０に設けた被嵌合部１９とを凹凸嵌合させて表示パネル２１を器具本体１０に取り付けているため、万が一にもパネルケース２３に設けた取付部２３ｃが破損しても表示ユニット２０が器具本体１０から脱落しないようになっている。
【００３３】
（実施形態２）
図２に本発明の実施形態２を示す。但し、本実施形態の基本構成は実施形態１と共通するので、共通の構成要素には同一の符号を付して説明を省略する。
【００３４】
本実施形態においては、図２（ｃ）に示すように表示パネル２１の左右両側及び下側の側壁部２１ｂが前方へ突出し、また表示パネル２１の左右両側の側片２１ｂ，２１ｃの内面に一対の突起２１ｈ，２１ｈが突設され、これら一対の突起２１ｈ，２１ｈと凹凸嵌合する一対の嵌合溝２３ｄ，２３ｄがパネルケース２３の左右両側の側片２３ｂ，２３ｂに設けられている。但し、実施形態１と異なり、左右両側の側片２１ｂ，２１ｃには嵌合部２１ｅ及び取付溝２１ｆが設けられておらず、器具本体１０には被嵌合部１９が設けられていない。
【００３５】
図２（ｂ）及び（ｃ）に示すように、表示パネル２１の左右両側の側片２１ｂ，２１ｃの内面に突設された一対の突起２１ｈ，２１ｈを、パネルケース２３の左右両側の側片２３ｂ，２３ｂに設けられた一対の嵌合溝２３ｄ，２３ｄに凹凸嵌合することで表示パネル２１がパネルケース２３に固定される。このとき、表示パネル２１の左右両側の側片２１ｂ，２１ｃと導光板２２の端面との間にパネルケース２３の左右両側の側片２３ｂ，２３ｂが配置される（図２（ｃ）参照）。
【００３６】
而して、本実施形態においても実施形態１と同様に、図５に示した従来例のようにパネルケース２３の保持枠２３ｂ’で表示パネル２１の前面周縁部分並びに側面が覆われることがないから、前方及び側方の外観上の見栄え並びに視認性が向上できる。
【００３７】
（実施形態３）
図３に本発明の実施形態３を示す。但し、本実施形態の基本構成は実施形態２と共通するので、共通の構成要素には同一の符号を付して説明を省略する。
【００３８】
本実施形態においては、図３（ｂ）及び（ｃ）に示すようにパネルケース２３の左右両側の側片２３ｂ，２３ｂの内面が前方に向かって内側に傾斜しており、また、導光板２２の左右両端面には、後方に向かって外側に傾斜する傾斜面を有して側方へ突出する係合突部２２ａが設けられている。
【００３９】
図３（ｂ）及び（ｃ）に示すように、取付ベース２３ａの前面に背面を摺接させるようにしてパネルケース２３の上方から導光板２２をスライドすれば、パネルケース２３の左右両側の側片２３ｂ，２３ｂと取付ベース２３ａとの間に導光板２２の係合突部２２ａが係合されてパネルケース２３に導光板２２が固定される。そして、実施形態２と同様に表示パネル２１の左右両側の側片２１ｂ，２１ｃの内面に突設された一対の突起２１ｈ，２１ｈを、パネルケース２３の左右両側の側片２３ｂ，２３ｂに設けられた一対の嵌合溝２３ｄ，２３ｄに凹凸嵌合することで表示パネル２１がパネルケース２３に固定される。このとき、表示パネル２１の左右両側の側片２１ｂ，２１ｃと導光板２２の端面との間にパネルケース２３の左右両側の側片２３ｂ，２３ｂが配置される（図３（ｃ）参照）。
【００４０】
而して、本実施形態においても実施形態１，２と同様に、図５に示した従来例のようにパネルケース２３の保持枠２３ｂ’で表示パネル２１の前面周縁部分並びに側面が覆われることがないから、前方及び側方の外観上の見栄え並びに視認性が向上できる。しかも、導光板２２がパネルケース２３に固定されているため、パネルケース２３を形成する材料と表示パネル２１を形成する材料の熱膨張率の違いによって突起２１ｈが破損しても、表示パネル２１よりも重い導光板２２が器具本体１０から脱落するのを防ぐことができる。
【００４１】
（実施形態４）
図４に本発明の実施形態４を示す。但し、本実施形態の基本構成は実施形態２と共通するので、共通の構成要素には同一の符号を付して説明を省略する。
【００４２】
本実施形態においては、パネルケース２３の側片２３ｂの厚みとほぼ等しい寸法を有し、左右方向に突出する突条部２２ｂが導光板２２の左右両端面に突設されている。
【００４３】
図４（ｂ）及び（ｃ）に示すように、表示パネル２１の左右両側の側片２１ｂ，２１ｃの内面に突設された一対の突起２１ｈ，２１ｈを、パネルケース２３の左右両側の側片２３ｂ，２３ｂに設けられた一対の嵌合溝２３ｄ，２３ｄに凹凸嵌合することで表示パネル２１がパネルケース２３に固定される。このとき、実施形態２では表示パネル２１の左右両側の側片２１ｂ，２１ｃと導光板２２の左右両端面との間に隙間が空いていたが、本実施形態では導光板２２の端面に設けられた突条部２２ｂが表示部２１ａと側片２３ｂ，２３ｂとの間に入り込むため、表示パネル２１の左右両側の側片２１ｂ，２１ｃから出射する光が均一になるという利点がある。なお、実施形態３においても、導光板２２に突条部２２ｂを設けることで表示パネル２１の左右両側の側片２１ｂ，２１ｃから出射する光を均一にすることができる。
【図面の簡単な説明】
【００４４】
【図１】本発明の実施形態１を示し、（ａ）は全体の分解斜視図、（ｂ）は表示ユニットの分解斜視図、（ｃ）は表示ユニットの断面図である。
【図２】本発明の実施形態２を示し、（ａ）は全体の分解斜視図、（ｂ）は表示ユニットの分解斜視図、（ｃ）は表示ユニットの断面図である。
【図３】本発明の実施形態３を示し、（ａ）は全体の分解斜視図、（ｂ）は表示ユニットの分解斜視図、（ｃ）は表示ユニットの断面図である。
【図４】本発明の実施形態４を示し、（ａ）は全体の分解斜視図、（ｂ）は表示ユニットの分解斜視図、（ｃ）は表示ユニットの断面図である。
【図５】従来例を示し、（ａ）は全体の分解斜視図、（ｂ）は表示ユニットの分解斜視図、（ｃ）は表示ユニットの断面図である。
【図６】別の従来例を示し、（ａ）は全体の分解斜視図、（ｂ）は表示ユニットの分解斜視図、（ｃ）は表示ユニットの断面図である。
【符号の説明】
【００４５】
１０  器具本体
２０  表示ユニット
２１  表示パネル
２１ｂ  左側側片
２１ｃ  右側側片
２１ｄ  下側側片
２１ｆ  取付溝
２２  導光板
２３  パネルケース
２３ｂ  側壁部
２３ｃ  取付部
【図１】
0004506627.tif 000002
【図２】
0004506627.tif 000003
【図３】
0004506627.tif 000004
【図４】
0004506627.tif 000005
【図５】
0004506627.tif 000006
【図６】
0004506627.tif 000007